(57)【要約】    【課題】      視聴者がコンテンツを視聴するデバイスをカーナビゲーション装置又は携帯視聴装置に切り換えた時にも、視聴中のコンテンツを同じシーンから継続して視聴すること。    【解決手段】  ホームコンテンツサーバ１１１は、デバイス切換要求を受けた時に切換先の視聴デバイス１５０又はカーナビゲーション装置１６１のコンテンツの配信に必要なデバイス情報に基づいて前記コンテンツのパラメータを変更する。複数の視聴デバイス１５０の各々は、前記デバイス情報を管理しているデバイス情報管理部を具備している。複数のカーナビゲーション装置１６１の各々は、切換先の視聴デバイス１５０又はカーナビゲーション装置１６１を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備する。  【選択図】      図１
2006041950.tif 000002
【特許請求の範囲】
【請求項１】
宅内に設置され異なるマルチメディアのコンテンツを蓄積したホームコンテンツサーバと、前記ホームコンテンツサーバが接続されているホームネットワークシステムと、公衆無線ネットワークシステムと、前記ホームコンテンツサーバから前記公衆無線ネットワークシステムを介して配信される前記コンテンツを再生する複数の視聴デバイスと、前記ホームコンテンツサーバから公衆無線ネットワークシステムを介して配信される前記コンテンツを再生する複数のカーナビゲーション装置と、を具備するマルチメディアコンテンツ提供システムであって、
前記ホームコンテンツサーバは、
前記ホームネットワークシステムに接続された前記複数の視聴デバイス及び前記複数のカーナビゲーション装置を検出するデバイス検出部と、
切換先の前記視聴デバイス又は前記カーナビゲーション装置を設定する接続デバイス設定部と、
前記視聴デバイス又は前記カーナビゲーション装置に送信する前記コンテンツを管理する視聴コンテンツ管理部と、
前記視聴デバイス又は前記カーナビゲーション装置からデバイス切換要求を受けた時に切換元の前記視聴デバイス又は前記カーナビゲーション装置から切換先の前記カーナビゲーション装置又は前記視聴デバイスに前記コンテンツの配信を切り換える接続デバイス切換部と、
前記視聴デバイス及び前記カーナビゲーション装置に送信している前記コンテンツを管理する視聴コンテンツ管理部と、
前記デバイス切換要求を受けた時に切換先の前記視聴デバイス又は前記カーナビゲーション装置の前記コンテンツの配信に必要なデバイス情報に基づいて前記コンテンツのパラメータを変更するコンテンツパラメータ制御部と、を具備し、
前記複数の視聴デバイスの各々は、
前記ホームネットワークシステムに接続された前記複数の視聴デバイス及び前記カーナビゲーション装置を検出するデバイス検出部と、
切換先の前記視聴デバイス又は前記カーナビゲーション装置を設定する接続デバイス設定部と、
前記デバイス情報を管理しているデバイス情報管理部と、
現在配信されている前記コンテンツ及びシーンを含むコンテンツ情報を管理する視聴コンテンツ管理部と、を具備し、
前記複数のカーナビゲーション装置の各々は、
前記ホームネットワークシステムに接続された前記複数の視聴デバイス及び前記カーナビゲーション装置を検出するデバイス検出部と、
切換先の前記視聴デバイス又は前記カーナビゲーション装置を設定する接続デバイス設定部と、
前記デバイス情報を管理しているデバイス情報管理部と、
現在配信されている前記コンテンツ及びシーンを含むコンテンツ情報を管理する視聴コンテンツ管理部と、
を具備することを特徴とするマルチメディアコンテンツ提供システム。
【請求項２】
宅内に設置され異なるマルチメディアのコンテンツを蓄積したホームコンテンツサーバと、前記ホームコンテンツサーバが接続されているホームネットワークシステムと、公衆無線ネットワークシステムと、前記ホームコンテンツサーバから前記公衆無線ネットワークシステムを介して配信される前記コンテンツを再生する複数の視聴デバイスと、前記ホームコンテンツサーバから公衆無線ネットワークシステムを介して配信される前記コンテンツを再生する複数のカーナビゲーション装置と、を具備し、前記複数の視聴デバイスの各々は、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記コンテンツの配信に必要なデバイス情報を管理しているデバイス情報管理部と、現在配信されている前記コンテンツ及びシーンを含むコンテンツ情報を管理する視聴コンテンツ管理部と、を具備し、前記複数のカーナビゲーション装置の各々は、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備するマルチメディアコンテンツ提供システムにおけるホームコンテンツサーバであって、
前記ホームネットワークシステムに接続された前記複数の視聴デバイス及び前記複数のカーナビゲーション装置を検出するデバイス検出部と、
切換先の前記視聴デバイス又は前記カーナビゲーション装置を設定する接続デバイス設定部と、
前記視聴デバイス又は前記カーナビゲーション装置に送信する前記コンテンツを管理する視聴コンテンツ管理部と、
前記視聴デバイス又は前記カーナビゲーション装置からデバイス切換要求を受けた時に切換元の前記視聴デバイス又は前記カーナビゲーション装置から切換先の前記カーナビゲーション装置又は前記視聴デバイスに前記コンテンツの配信を切り換える接続デバイス切換部と、
前記視聴デバイス及び前記カーナビゲーション装置に送信している前記コンテンツを管理する視聴コンテンツ管理部と、
前記デバイス切換要求を受けた時に切換先の前記視聴デバイス又は前記カーナビゲーション装置の前記デバイス情報に基づいて前記コンテンツのパラメータを変更するコンテンツパラメータ制御部と、
を具備することを特徴とするホームコンテンツサーバ。
【請求項３】
宅内に設置され異なるマルチメディアのコンテンツを蓄積したホームコンテンツサーバと、前記ホームコンテンツサーバが接続されているホームネットワークシステムと、公衆無線ネットワークシステムと、前記ホームコンテンツサーバから前記公衆無線ネットワークシステムを介して配信される前記コンテンツを再生する複数の視聴デバイスと、前記ホームコンテンツサーバから公衆無線ネットワークシステムを介して配信される前記コンテンツを再生する複数のカーナビゲーション装置と、を具備し、前記ホームコンテンツサーバは、前記ホームネットワークシステムに接続された前記複数の視聴デバイス及び前記複数のカーナビゲーション装置を検出するデバイス検出部と、切換先の前記視聴デバイス又は前記カーナビゲーション装置を設定する接続デバイス設定部と、前記視聴デバイス又は前記カーナビゲーション装置に送信する前記コンテンツを管理する視聴コンテンツ管理部と、前記視聴デバイス又は前記カーナビゲーション装置からデバイス切換要求を受けた時に切換元の前記視聴デバイス又は前記カーナビゲーション装置から切換先の前記カーナビゲーション装置又は前記視聴デバイスに前記コンテンツの配信を切り換える接続デバイス切換部と、前記視聴デバイス及び前記カーナビゲーション装置に送信している前記コンテンツを管理する視聴コンテンツ管理部と、前記デバイス切換要求を受けた時に切換先の前記視聴デバイス又は前記カーナビゲーション装置の前記コンテンツの配信に必要なデバイス情報に基づいて前記コンテンツのパラメータを変更するコンテンツパラメータ制御部と、を具備し、前記複数のカーナビゲーション装置の各々は、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備するマルチメディアコンテンツ提供システムにおける視聴デバイスであって、
前記ホームネットワークシステムに接続された前記複数の視聴デバイス及び前記カーナビゲーション装置を検出するデバイス検出部と、
切換先の前記視聴デバイス又は前記カーナビゲーション装置を設定する接続デバイス設定部と、
前記デバイス情報を管理しているデバイス情報管理部と、
現在配信されている前記コンテンツ及びシーンを含むコンテンツ情報を管理する視聴コンテンツ管理部と、
を具備することを特徴とする視聴デバイス。
【請求項４】
宅内に設置され異なるマルチメディアのコンテンツを蓄積したホームコンテンツサーバと、前記ホームコンテンツサーバが接続されているホームネットワークシステムと、公衆無線ネットワークシステムと、前記ホームコンテンツサーバから前記公衆無線ネットワークシステムを介して配信される前記コンテンツを再生する複数の視聴デバイスと、前記ホームコンテンツサーバから公衆無線ネットワークシステムを介して配信される前記コンテンツを再生する複数のカーナビゲーション装置と、を具備し、前記ホームコンテンツサーバは、前記ホームネットワークシステムに接続された前記複数の視聴デバイス及び前記複数のカーナビゲーション装置を検出するデバイス検出部と、切換先の前記視聴デバイス又は前記カーナビゲーション装置を設定する接続デバイス設定部と、前記視聴デバイス又は前記カーナビゲーション装置に送信する前記コンテンツを管理する視聴コンテンツ管理部と、前記視聴デバイス又は前記カーナビゲーション装置からデバイス切換要求を受けた時に切換元の前記視聴デバイス又は前記カーナビゲーション装置から切換先の前記カーナビゲーション装置又は前記視聴デバイスに前記コンテンツの配信を切り換える接続デバイス切換部と、前記視聴デバイス及び前記カーナビゲーション装置に送信している前記コンテンツを管理する視聴コンテンツ管理部と、前記デバイス切換要求を受けた時に切換先の前記視聴デバイス又は前記カーナビゲーション装置の前記コンテンツの配信に必要なデバイス情報に基づいて前記コンテンツのパラメータを変更するコンテンツパラメータ制御部と、を具備し、前記複数の視聴デバイスの各々は、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備するマルチメディアコンテンツ提供システムにおけるカーナビゲーション装置であって、
前記ホームネットワークシステムに接続された前記複数の視聴デバイス及び前記カーナビゲーション装置を検出するデバイス検出部と、
切換先の前記視聴デバイス又は前記カーナビゲーション装置を設定する接続デバイス設定部と、
前記デバイス情報を管理しているデバイス情報管理部と、
現在配信されている前記コンテンツ及びシーンを含むコンテンツ情報を管理する視聴コンテンツ管理部と、
を具備することを特徴とするカーナビゲーション装置。
【発明の詳細な説明】
【技術分野】
【０００１】
本発明は、家庭に設置された様々なマルチメディアのコンテンツを蓄積したホームコンテンツサーバからの前記コンテンツを再生する複数の視聴デバイス及びカーナビゲーション装置を具備するマルチメディアコンテンツ提供システムに関する。
【背景技術】
【０００２】
近年、宅内の情報機器は、ハードディスクレコーダー内蔵のDVDレコーダのように、非常に多くの映像コンテンツ及び音楽コンテンツをはじめ、テレビ番組及びインターネットから入手した各種サービス情報を蓄積するホームコンテンツサーバが充実してきている。
【０００３】
マルチメディアコンテンツ提供システムとして、家庭に設置された様々なマルチメディアのコンテンツを蓄積したホームコンテンツサーバと、前記コンテンツを再生する携帯視聴デバイスと、を具備するものが知られている。
【０００４】
また、これらサーバ的な役割を果たす宅内情報機器を含む宅内の機器はホームネットワークシステムに接続し、さらに宅内のホームネットワークシステムはインターネットを介して公衆ネットワークスステムに接続され、宅外の携帯視聴デバイスから宅内の機器を制御できるようなサービスがスタートしている。
【０００５】
また、これら家庭内のホームコンテンツサーバとの連携したマルチメディアコンテンツ提供システムは、小型ディスプレイの携帯視聴デバイスだけでなく、通信機能を有するカーナビゲーション装置と車外機器の連携を利用することで、車で移動中は車内の大画面ディスプレイで迫力ある映像コンテンツ及びサービス情報を閲覧することが可能である（特許文献１及び特許文献２参照）。  
【特許文献１】特開２００１-３１０７３９号公報
【特許文献２】特開２００２-９０１４２号公報
【発明の開示】
【発明が解決しようとする課題】
【０００６】
しかしながら、特許文献１及び特許文献２に記載されたマルチメディアコンテンツ提供システムにおいては、視聴者が携帯視聴装置で視聴中のコンテンツをカーナビゲーション装置で同じシーンから継続して視聴することができないという問題がある。
【０００７】
本発明は、かかる点に鑑みてなされたものであり、視聴者がコンテンツを視聴するデバイスを携帯視聴装置又はカーナビゲーション装置からカーナビゲーション装置又は携帯視聴装置に切り換えた時にも、視聴中のコンテンツを同じシーンから継続して視聴することができるマルチメディアコンテンツ提供システム、ホームコンテンツサーバ、視聴デバイス及びカーナビゲーション装置を提供することを目的とする。
【課題を解決するための手段】
【０００８】
第１の発明によるによるマルチメディアコンテンツ提供システムは、宅内に設置され異なるマルチメディアのコンテンツを蓄積したホームコンテンツサーバと、前記ホームコンテンツサーバが接続されているホームネットワークシステムと、公衆無線ネットワークシステムと、前記ホームコンテンツサーバから前記公衆無線ネットワークシステムを介して配信される前記コンテンツを再生する複数の視聴デバイスと、前記ホームコンテンツサーバから公衆無線ネットワークシステムを介して配信される前記コンテンツを再生する複数のカーナビゲーション装置と、を具備するマルチメディアコンテンツ提供システムであって、前記ホームコンテンツサーバが、前記ホームネットワークシステムに接続された前記複数の視聴デバイス及び前記複数のカーナビゲーション装置を検出するデバイス検出部と、切換先の前記視聴デバイス又は前記カーナビゲーション装置を設定する接続デバイス設定部と、前記視聴デバイス又は前記カーナビゲーション装置に送信する前記コンテンツを管理する視聴コンテンツ管理部と、前記視聴デバイス又は前記カーナビゲーション装置からデバイス切換要求を受けた時に切換元の前記視聴デバイス又は前記カーナビゲーション装置から切換先の前記カーナビゲーション装置又は前記視聴デバイスに前記コンテンツの配信を切り換える接続デバイス切換部と、前記視聴デバイス及び前記カーナビゲーション装置に送信している前記コンテンツを管理する視聴コンテンツ管理部と、前記デバイス切換要求を受けた時に切換先の前記視聴デバイス又は前記カーナビゲーション装置の前記コンテンツの配信に必要なデバイス情報に基づいて前記コンテンツのパラメータを変更するコンテンツパラメータ制御部と、を具備し、前記複数の視聴デバイスの各々が、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備し、前記複数のカーナビゲーション装置の各々が、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備する構成を採る。
【０００９】
この構成によれば、視聴者がコンテンツを視聴するデバイスを携帯視聴装置又はカーナビゲーション装置からカーナビゲーション装置又は携帯視聴装置に切り換えた時にも、視聴中のコンテンツを同じシーンから継続して視聴することができる。
【００１０】
第２の発明によるホームコンテンツサーバは、宅内に設置され異なるマルチメディアのコンテンツを蓄積したホームコンテンツサーバと、前記ホームコンテンツサーバが接続されているホームネットワークシステムと、公衆無線ネットワークシステムと、前記ホームコンテンツサーバから前記公衆無線ネットワークシステムを介して配信される前記コンテンツを再生する複数の視聴デバイスと、前記ホームコンテンツサーバから公衆無線ネットワークシステムを介して配信される前記コンテンツを再生する複数のカーナビゲーション装置と、を具備し、前記複数の視聴デバイスの各々が、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記コンテンツの配信に必要なデバイス情報を管理しているデバイス情報管理部と、現在配信されている前記コンテンツ及びシーンを含むコンテンツ情報を管理する視聴コンテンツ管理部と、を具備し、前記複数のカーナビゲーション装置の各々が、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備するマルチメディアコンテンツ提供システムにおけるホームコンテンツサーバであって、前記ホームネットワークシステムに接続された前記複数の視聴デバイス及び前記複数のカーナビゲーション装置を検出するデバイス検出部と、切換先の前記視聴デバイス又は前記カーナビゲーション装置を設定する接続デバイス設定部と、前記視聴デバイス又は前記カーナビゲーション装置に送信する前記コンテンツを管理する視聴コンテンツ管理部と、前記視聴デバイス又は前記カーナビゲーション装置からデバイス切換要求を受けた時に切換元の前記視聴デバイス又は前記カーナビゲーション装置から切換先の前記カーナビゲーション装置又は前記視聴デバイスに前記コンテンツの配信を切り換える接続デバイス切換部と、前記視聴デバイス及び前記カーナビゲーション装置に送信している前記コンテンツを管理する視聴コンテンツ管理部と、前記デバイス切換要求を受けた時に切換先の前記視聴デバイス又は前記カーナビゲーション装置の前記デバイス情報に基づいて前記コンテンツのパラメータを変更するコンテンツパラメータ制御部と、を具備する構成を採る。
【００１１】
この構成によれば、視聴者がコンテンツを視聴するデバイスを携帯視聴装置又はカーナビゲーション装置からカーナビゲーション装置又は携帯視聴装置に切り換えた時にも、視聴中のコンテンツを同じシーンから継続して視聴することができる。
【００１２】
第３の発明による視聴デバイスは、宅内に設置され異なるマルチメディアのコンテンツを蓄積したホームコンテンツサーバと、前記ホームコンテンツサーバが接続されているホームネットワークシステムと、公衆無線ネットワークシステムと、前記ホームコンテンツサーバから前記公衆無線ネットワークシステムを介して配信される前記コンテンツを再生する複数の視聴デバイスと、前記ホームコンテンツサーバから公衆無線ネットワークシステムを介して配信される前記コンテンツを再生する複数のカーナビゲーション装置と、を具備し、前記ホームコンテンツサーバが、前記ホームネットワークシステムに接続された前記複数の視聴デバイス及び前記複数のカーナビゲーション装置を検出するデバイス検出部と、切換先の前記視聴デバイス又は前記カーナビゲーション装置を設定する接続デバイス設定部と、前記視聴デバイス又は前記カーナビゲーション装置に送信する前記コンテンツを管理する視聴コンテンツ管理部と、前記視聴デバイス又は前記カーナビゲーション装置からデバイス切換要求を受けた時に切換元の前記視聴デバイス又は前記カーナビゲーション装置から切換先の前記カーナビゲーション装置又は前記視聴デバイスに前記コンテンツの配信を切り換える接続デバイス切換部と、前記視聴デバイス及び前記カーナビゲーション装置に送信している前記コンテンツを管理する視聴コンテンツ管理部と、前記デバイス切換要求を受けた時に切換先の前記視聴デバイス又は前記カーナビゲーション装置の前記コンテンツの配信に必要なデバイス情報に基づいて前記コンテンツのパラメータを変更するコンテンツパラメータ制御部と、を具備し、前記複数のカーナビゲーション装置の各々が、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備するマルチメディアコンテンツ提供システムにおける視聴デバイスであって、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備する構成を採る。
【００１３】
この構成によれば、視聴者がコンテンツを視聴するデバイスを携帯視聴装置又はカーナビゲーション装置からカーナビゲーション装置又は携帯視聴装置に切り換えた時にも、視聴中のコンテンツを同じシーンから継続して視聴することができる。
【００１４】
第４の発明によるカーナビゲーション装置は、宅内に設置され異なるマルチメディアのコンテンツを蓄積したホームコンテンツサーバと、前記ホームコンテンツサーバが接続されているホームネットワークシステムと、公衆無線ネットワークシステムと、前記ホームコンテンツサーバから前記公衆無線ネットワークシステムを介して配信される前記コンテンツを再生する複数の視聴デバイスと、前記ホームコンテンツサーバから公衆無線ネットワークシステムを介して配信される前記コンテンツを再生する複数のカーナビゲーション装置と、を具備し、前記ホームコンテンツサーバが、前記ホームネットワークシステムに接続された前記複数の視聴デバイス及び前記複数のカーナビゲーション装置を検出するデバイス検出部と、切換先の前記視聴デバイス又は前記カーナビゲーション装置を設定する接続デバイス設定部と、前記視聴デバイス又は前記カーナビゲーション装置に送信する前記コンテンツを管理する視聴コンテンツ管理部と、前記視聴デバイス又は前記カーナビゲーション装置からデバイス切換要求を受けた時に切換元の前記視聴デバイス又は前記カーナビゲーション装置から切換先の前記カーナビゲーション装置又は前記視聴デバイスに前記コンテンツの配信を切り換える接続デバイス切換部と、前記視聴デバイス及び前記カーナビゲーション装置に送信している前記コンテンツを管理する視聴コンテンツ管理部と、前記デバイス切換要求を受けた時に切換先の前記視聴デバイス又は前記カーナビゲーション装置の前記コンテンツの配信に必要なデバイス情報に基づいて前記コンテンツのパラメータを変更するコンテンツパラメータ制御部と、を具備し、前記複数の視聴デバイスの各々が、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、現在配信されている前記コンテンツ及びシーンを含むコンテンツ情報を管理する視聴コンテンツ管理部と、を具備するマルチメディアコンテンツ提供システムにおけるカーナビゲーション装置であって、前記ホームネットワークシステムに接続された前記複数の視聴デバイス及び前記カーナビゲーション装置を検出するデバイス検出部と、切換先の前記視聴デバイス又は前記カーナビゲーション装置を設定する接続デバイス設定部と、前記デバイス情報を管理しているデバイス情報管理部と、
現在配信されている前記コンテンツ及びシーンを含むコンテンツ情報を管理する視聴コンテンツ管理部と、を具備する構成を採る。
【００１５】
この構成によれば、視聴者がコンテンツを視聴するデバイスを携帯視聴装置又はカーナビゲーション装置からカーナビゲーション装置又は携帯視聴装置に切り換えた時にも、視聴中のコンテンツを同じシーンから継続して視聴することができる。
【発明の効果】
【００１６】
以上説明したように、本発明によれば、視聴者がコンテンツを視聴するデバイスを携帯視聴装置又はカーナビゲーション装置からカーナビゲーション装置又は携帯視聴装置に切り換えた時にも、視聴中のコンテンツを同じシーンから継続して視聴することができる。
【発明を実施するための最良の形態】
【００１７】
次に、本発明の実施の形態について、図面を参照して詳細に説明する。
【００１８】
（一実施の形態）
図１は、本発明の一実施の形態に係るマルチメディアコンテンツ提供システムの構成を示す図である。
【００１９】
図１に示すように、本発明の一実施の形態に係るマルチメディアコンテンツ提供システム１００は、ホームネットワークシステム１１０、インターネット１２０、公衆無線ネットワークシステム１３０、ゲートウェイ装置１４０、複数の携帯視聴デバイス１５０及び複数の車１６０に搭載された複数のカーナビゲーション装置１６１を具備している。１つの携帯視聴デバイス１５０及びカーナビゲーション装置１６１のみが図示されている。
【００２０】
インターネット１２０は、ホームネットワークシステム１１０に接続されている。ゲートウェイ装置１４０は、インターネット１２０と公衆無線ネットワークシステム１３０とを接続している。
【００２１】
ホームネットワークシステム１１０は、ホームコンテンツサーバ１１１、アンテナ１１２、テレビ１１３、ホーム無線基地局１１４及びホームゲートウェイ装置１１５を具備している。
【００２２】
アンテナ１１２は、ホームコンテンツサーバ１１１に接続されている。テレビ１１３及びホーム無線基地局１１４は、ホームコンテンツサーバ１１１に接続されている。ホームゲートウェイ装置１１５は、ホームコンテンツサーバ１１１とインターネット１２０との間に接続されている。
【００２３】
ホームコンテンツサーバ１１１は、アンテナ１１２を介してテレビ番組を受信するほか、ホームゲートウェイ装置１１５を介して、インターネット１２０からコンテンツを入手することができる。また、ホームコンテンツサーバ１１１は、入手したテレビ番組及びコンテンツを蓄積することができる。また、ホームコンテンツサーバ１１１は、ホーム無線基地局１１４を介して携帯視聴デバイス１５０とデータ及び信号の送受信を行う。ホームコンテンツサーバ１１１に蓄積されたコンテンツは、テレビ１１３により宅内でいつでも閲覧及び視聴することができる。
【００２４】
また、ホームコンテンツサーバ１１１に蓄積されたコンテンツは、インターネット１２０、ゲートウェイ装置１４０及び公衆無線ネットワークシステム１３０を介して、携帯視聴デバイス１５０によりいつでも閲覧及び視聴することができる。また、ホームコンテンツサーバ１１１に蓄積されたコンテンツは、インターネット１２０、ゲートウェイ装置１４０及び公衆無線ネットワークシステム１３０を介して、カーナビゲーション装置１６１によりいつでも閲覧及び視聴することができる。
【００２５】
次に、本発明の一実施の形態に係るホームコンテンツサーバ１１１、携帯視聴デバイス１５０及びカーナビゲーション装置１６１について、図面を参照して詳細に説明する。
【００２６】
図２は、本発明の一実施の形態に係るホームコンテンツサーバ１１１の構成を示すブロック図である。
【００２７】
図２に示すように、ホームコンテンツサーバ１１１は、コンテンツ蓄積部２０１、チューナー２０２、コンテンツ蓄積制御部２０３、外部メモリリードライト部２０４、コンテンツ送信制御部２０５、コンテンツ変換部２０６、ファイル構成部２０７、データ処理部２０８及び入出力インターフェース２０９を具備している。
【００２８】
コンテンツ蓄積制御部２０３は、チャネル制御部２０３１及び外部メモリ制御部２０３２を具備している。コンテンツ送信制御部２０５は、接続管理部２０５１及びコンテンツ管理部２０５２を具備している。接続管理部２０５１は、デバイス検出部２０５３、接続デバイス設定部２０５４及び接続デバイス切換部２０５５を具備している。コンテンツ管理部２０５２は、視聴コンテンツ管理部２０５６及びコンテンツパラメータ制御部２０５７を具備している。
【００２９】
コンテンツ蓄積制御部２０３は、コンテンツ蓄積部２０１へのコンテンツの蓄積を制御する。コンテンツの１つである放送番組データは、アンテナ１１２で受信されてチューナー２０２を介してコンテンツ蓄積部２０１に取り込まれる。この場合には、チャネル制御部２０３１がコンテンツ蓄積部２０１へのコンテンツの蓄積を制御する。
【００３０】
また、コンテンツは、外部メモリリードライト部２０４により外部メモリ装置から取り込まれる。この場合には、外部メモリ制御部２０３２がコンテンツ蓄積部２０１へのコンテンツの蓄積を制御する。
【００３１】
携帯視聴デバイス１５０又はカーナビゲーション装置１６１に送信されるコンテンツは、コンテンツ蓄積部２０１から取り出され、コンテンツ変換部２０６が各携帯視聴デバイスにあったコーデック、フレームレート及びビットレートにコンテンツをトランスコードする。ファイル構成部２０７は、コンテンツ変換部２０６からのコンテンツを各携帯視聴デバイスにあったファイルフォーマット（ASF、MP４など）にフォーマット化する。
【００３２】
データ処理部２０８は、ファイル構成部２０７からのコンテンツのパケット処理を行って入出力インターフェース２０９を介して携帯視聴デバイス１５０又はカーナビゲーション装置１６１に送信する。また、データ処理部２０８は、携帯視聴デバイス１５０又はカーナビゲーション装置１６１から入出力インターフェース２０９を介して受信する信号を処理してコンテンツ送信制御部２０５に与える。
【００３３】
コンテンツ送信制御部２０５は、コンテンツ変換部２０６及びファイル構成部２０７を制御することによりコンテンツ蓄積部２０１からコンテンツを取り出して携帯視聴デバイス１５０又はカーナビゲーション装置１６１に送信させる。
【００３４】
デバイス検出部２０５３は、マルチメディアコンテンツ提供システム１００が具備する携帯視聴デバイス１５０及びカーナビゲーション装置１６１を検出する。接続デバイス設定部２０５４は、コンテンツ送信先の携帯視聴デバイス１５０及びカーナビゲーション装置１６１の設定をするためのものである。接続デバイス切換部２０５５は、デバイス検出部２０５３からの検出信号と、接続デバイス設定部２０５４からの設定信号と、に基づいて送信先の携帯視聴デバイス１５０及びカーナビゲーション装置１６１の切換を行う。
【００３５】
視聴コンテンツ管理部２０５６は、蓄積されているコンテンツのうち現在視聴されているコンテンツと視聴しているデバイスである携帯視聴デバイス１５０及びカーナビゲーション装置１６１の管理をする。コンテンツパラメータ制御部２０５７は、送信するコンテンツのコーデック及びファイルフォーマットなどのパラメータの制御を行う。
【００３６】
次に、本発明の一実施の形態に係る携帯視聴デバイス１５０について、図面を参照して詳細に説明する。
【００３７】
図３は、本発明の一実施の形態に係る携帯視聴デバイス１５０の構成を示すブロック図である。
【００３８】
図３に示すように、携帯視聴デバイス１５０は、公衆無線インターフェース３０１、データ処理部３０２、接続管理部３０３、コンテンツ蓄積部３０４、ファイル処理部３０５、デコード部３０６、モニター３０７及び近距離無線インターフェース３０８を具備している。
【００３９】
接続管理部３０３は、無線接続管理部３０３１、デバイス検出部３０３２、接続デバイス設定部３０３３、端末情報管理部３０３４及び視聴コンテンツ管理部３０３５を具備している。
【００４０】
公衆無線インターフェース３０１は、PDC、PHS、IMT-２０００などのセルラー無線インターフェースのほか、IEEE８０２.１１などを利用した公衆無線LANインターフェース（ホットスポット）で構成されている。データ処理部３０２は、送受信するデータ及び信号のパケット処理を行う。データ処理部３０２は、接続管理部３０３からの信号を公衆無線インターフェース３０１を介して公衆無線ネットワークシステム１３０に送信する。また、データ処理部３０２は、公衆無線ネットワークシステム１３０から公衆無線インターフェース３０１を介して受信するコンテンツを処理してコンテンツ蓄積部３０４又はファイル処理部３０５に与える。
【００４１】
無線接続管理部３０３１は、データ処理部３０２と公衆無線ネットワークシステム１３０との無線接続を管理する。デバイス検出部３０３２は、ホームネットワークシステム１１０に接続されている装置、デバイスを検出するものである。接続デバイス設定部３０３３は、コンテンツの視聴切換先の携帯視聴デバイス及びカーナビゲーション装置１６１の接続設定を行う。端末情報管理部３０３４は、携帯視聴デバイスの対応コーデック、画素数、対応フレームレート、ビットレート及びファイルフォーマットなどのデバイス情報を管理する。視聴コンテンツ管理部３０３５は、視聴しているコンテンツや視聴シーンの情報を管理している。
【００４２】
ファイル処理部３０５は、データ処理部３０２又はコンテンツ蓄積部３０４から受けるコンテンツを、オーディオ、ビデオ、テキスト又は画像などの各メディアのデータ（コンテンツ）に分解する。デコード部３０６は、ファイル処理部３０５からのデータ（コンテンツ）をデコードしてモニター３０７に送る。モニター３０７は、デコード部３０６からのデータ（コンテンツ）を映し出す。
【００４３】
近距離無線インターフェース３０８は、カーナビゲーション装置１６１とのデバイス切換時に、制御信号を交換を行う。ここでは、携帯視聴デバイス１５０とカーナビゲーション装置１６１との間では、BluetoothやUWBなど専用の近距離無線インターフェースが用いられるが、有線ケーブル、クレドル及び接続プラグなど用いられてもよい。
【００４４】
次に、本発明の一実施の形態に係るカーナビゲーション装置１６１について、図面を参照して詳細に説明する。
【００４５】
図４は、本発明の一実施の形態に係るカーナビゲーション装置１６１の構成を示すブロック図である。
【００４６】
図４に示すように、カーナビゲーション装置１６１は、公衆無線インターフェース４０１、データ処理部４０２、ファイル処理部４０３、デコード部４０４、モニター４０５、接続管理部４０６及び近距離無線インターフェース４０７を具備している。
【００４７】
モニター４０５は、表示操作部４０５１を具備している。表示操作部４０５１は、接続デバイス表示部４０５２及び視聴コンテンツ表示部４０５３を具備している。接続管理部４０６は、無線接続管理部４０６１、デバイス検出部４０６２、接続デバイス設定部４０６３、デバイス情報管理部４０６４及び視聴コンテンツ管理部４０６５を具備している。
【００４８】
データ処理部４０２は、公衆無線インターフェース４０１を介してホームコンテンツサーバ１１１とのデータの送受信及びデータのパケット処理を行っている。ファイル処理部４０３は、データ処理部４０２からのコンテンツを、オーディオ、ビデオ、テキスト又は画像などの各メディアのデータ（コンテンツ）に分解する。デコード部４０４は、ファイル処理部４０３からのデータ（コンテンツ）をデコードしてモニター４０５に送る。モニター４０５は、デコード部４０４からのデータ（コンテンツ）を映し出す。
【００４９】
接続デバイス表示部４０５２は、ホームネットワークシステム１１０に接続している装置、デバイスを表示するためのものである。視聴コンテンツ表示部４０５３は、現在視聴しているコンテンツを表示するためのものである。表示操作部４０５１は、視聴者が接続デバイス表示部４０５２及び視聴コンテンツ表示部４０５３を見ながらタッチパネル及びリモートコントロール装置を利用して操作される。
【００５０】
デバイス検出部４０６２は、ホームネットワークシステム１１０に接続されている装置、デバイスを検出するものである。接続デバイス設定部４０６３は、コンテンツの送信先の携帯視聴デバイス１５０及びカーナビゲーション装置１６１の設定をするためのものである。接続デバイス設定部４０６３は、デバイス検出部４０６２からの検出信号に基づいて送信先の携帯視聴デバイス１５０及びカーナビゲーション装置１６１の設定を行う。
【００５１】
デバイス情報管理部４０６４は、携帯視聴デバイス１５０の対応コーディク、画素数、対応フレ−ムレート、ビートレット及びファイルフォーマットなどのデバイス情報を管理する。視聴コンテンツ管理部４０６５は、視聴しているコンテンツ及びシーンの情報を管理している。
【００５２】
近距離無線インターフェース４０７は、携帯視聴デバイス１５０とのデバイス切換時に、制御信号を交換を行う。ここでは、携帯視聴デバイス１５０とカーナビゲーション装置１６１との間では、BluetoothやUWBなど専用の近距離無線インターフェースが用いられるが、有線ケーブル、クレドル及び接続プラグなど用いられてもよい。
【００５３】
次に、本発明の一実施の形態に係るホームネットワークシステム１００の複数の携帯視聴デバイス１５０及びカーナビゲーション装置１６１におけるコンテンツ視聴及び閲覧の継続切換動作について、図１〜図４とともに図５を参照して詳細に説明する。
【００５４】
図５は、本発明の一実施の形態に係るホームネットワークシステム１００の複数の携帯視聴デバイス１５０及びカーナビゲーション装置１６１におけるコンテンツ視聴及び閲覧の継続切換動作を説明するためのシーケンスを示す図である。
。
【００５５】
携帯視聴デバイス１５０でホームコンテンツサーバ１１１からコンテンツをストリーミング視聴している視聴者が、車１６０に乗り込み、コンテンツを視聴するデバイスをカーナビゲーション装置１６１にするため、切換動作を開始する。
【００５６】
まず、近距離無線インターフェース３０８及び有線ケーブルにより、携帯視聴デバイス１５０は、カーナビゲーション装置１６１とリンクを確立する。リンク確立後に、携帯視聴デバイス１５０とカーナビゲーション装置１６１とは、デバイス切換要求及びデバイス切換要求確認を交換する。
【００５７】
デバイス切換を了承された携帯視聴デバイス１５０は、視聴コンテンツ管理部３０３５で管理されている現在視聴中のコンテンツ及び視聴シーンの情報であるコンテンツ情報をカーナビゲーション装置１６１に送信する。コンテンツ情報を受け取ったカーナビゲーション装置１６１は、コンテンツ情報受信確認通知を携帯視聴デバイス１５０に送信し、かつ、公衆無線ネットワークシステム１３０及びインターネット１２０を経由してホームネットワークシステム１１０に接続する。また、カーナビゲーション装置１６１は、受信したコンテンツ情報を蓄積する。
【００５８】
ホームネットワークシステム１１０に接続を完了したカーナビゲーション装置１６１は、所定のデバイス検出/デバイス切換プロトコルにより、自動的にホームネットワークシステム１１０に接続しているデバイス一覧を取得し、ホームコンテンツサーバ１１１を確認し、ホームコンテンツサーバ１１１に接続要求を送信する。ホームコンテンツサーバ１１１は、接続要求を受けた時に接続許可を返信する。
【００５９】
ホームコンテンツサーバ１１１に接続完了後に、カーナビゲーション装置１６１は、ホームコンテンツサーバ１１１に公衆無線ネットワークシステム１３０を経由してコンテンツ送信要求を送る。このコンテンツ送信要求には、これまで携帯視聴デバイス１５０で視聴したコンテンツ及び視聴シーンの情報、また、カーナビゲーション装置１６１に適したパラメータのコンテンツを送信するため、コンテンツのビット/フレームレートやファイルフォーマットなどカーナビゲーション装置１６１のデバイス情報も含まれている。さらに、前記コンテンツ送信要求には、切換前のデバイス情報（携帯視聴デバイスの情報）も含まれている。
【００６０】
前記コンテンツ送信要求を受け取ったホームコンテンツサーバ１１１は、コンテンツ送信要求に含まれている内容を確認し、カーナビゲーション装置１６１に公衆無線ネットワークシステム１３０を経由してコンテンツ送信許可を通知する。
【００６１】
そして、ホームコンテンツサーバ１１１は、送信すべきコンテンツ及びシーンを検索し、コンテンツのパラメータ及びファイルフォーマットをカーナビゲーション装置１６１のデバイス情報管理部４０６４のデバイス情報に適し、さらに公衆無線ネットワークシステム１３０を経由しての配信に適したものに変更を開始し、送信アドレスも携帯視聴デバイス１５０からカーナビゲーション装置１６１の公衆無線ネットワークシステム１３０におけるアドレスに変更し、カーナビゲーション装置１６１への送信開始の準備を行い、かつ、携帯視聴デバイス１５０への送信を停止する。
【００６２】
次に、カーナビゲーション装置１６１は、ホームコンテンツサーバ１１１からのコンテンツのダウンロードを開始して同一コンテンツを同一シーンから継続して、ストリーミングの再生を開始することができる。
【００６３】
なお、本発明の一実施の形態は、カーナビゲーション装置１６１から携帯視聴デバイス１５０への視聴及び閲覧の継続切換に適用することができる。また、本発明の一実施の形態において、切換先デバイスが切換を許可しない場合は、その時点でデバイス切換が終了する。
【００６４】
以上のように、本発明の一実施の形態においては、視聴者がコンテンツを視聴するデバイスを携帯視聴装置又はカーナビゲーション装置からカーナビゲーション装置又は携帯視聴装置に切り換えた時にも、視聴中のコンテンツを同じシーンから継続して視聴することができる。
【産業上の利用可能性】
【００６５】
本発明は、視聴者がコンテンツを視聴するデバイスを携帯視聴装置又はカーナビゲーション装置からカーナビゲーション装置又は携帯視聴装置に切り換えた時にも、視聴中のコンテンツを同じシーンから継続して視聴することができる効果を有し、マルチメディアコンテンツ提供システム、ホームコンテンツサーバ、視聴デバイス及びカーナビゲーション装置に有用である。
【図面の簡単な説明】
【００６６】
【図１】本発明の一実施の形態に係るマルチメディアコンテンツ提供システムの構成を示す図
【図２】本発明の一実施の形態に係るホームコンテンツサーバの構成を示すブロック図
【図３】本発明の一実施の形態に係る携帯視聴デバイスの構成を示すブロック図
【図４】本発明の一実施の形態に係るカーナビゲーション装置の構成を示すブロック図
【図５】本発明の一実施の形態に係るホームネットワークシステムの複数の携帯視聴デバイス及びカーナビゲーション装置におけるコンテンツ視聴及び閲覧の継続切換動作を説明するためのシーケンスを示す図
【符号の説明】
【００６７】
１００  マルチメディアコンテンツ提供システム
１１０  ホームネットワークシステム
１２０  インターネット
１３０  公衆無線ネットワークシステム
１４０  ゲートウェイ装置
１５０  携帯視聴デバイス
１６０  車
１６１  カーナビゲーション装置
２０１  コンテンツ蓄積部
２０２  チューナー
２０３  コンテンツ蓄積制御部
２０４  外部メモリリードライト部
２０５  コンテンツ送信制御部
２０６  コンテンツ変換部
２０７  ファイル構成部
２０８  データ処理部
２０９  入出力インターフェース
２０３１  チャネル制御部
２０３２  外部メモリ制御部
２０５１  接続管理部
２０５２  コンテンツ管理部
２０５３  デバイス検出部
２０５４  接続デバイス設定部
２０５５  接続デバイス切換部
２０５６  視聴コンテンツ管理部
２０５７  コンテンツパラメータ制御部
３０１  公衆無線インターフェース
３０２  データ処理部
３０３  接続管理部
３０４  コンテンツ蓄積部
３０５  ファイル処理部
３０６  デコード部
３０７  モニター
３０８  近距離無線インターフェース
３０３１  無線接続管理部
３０３２  デバイス検出部
３０３３  接続デバイス設定部
３０３４  端末情報管理部
３０３５  視聴コンテンツ管理部
４０１  公衆無線インターフェース
４０２  データ処理部
４０３  ファイル処理部
４０４  デコード部
４０５  モニター
４０６  接続管理部
４０７  近距離無線インターフェース
４０５１  表示操作部
４０５２  接続デバイス表示部
４０５３  視聴コンテンツ表示部
４０６１  無線接続管理部
４０６２  デバイス検出部
４０６３  接続デバイス設定部
４０６４  デバイス情報管理部
４０６５  視聴コンテンツ管理部
【図１】
2006041950.tif 000003
【図２】
2006041950.tif 000004
【図３】
2006041950.tif 000005
【図４】
2006041950.tif 000006
【図５】
2006041950.tif 000007